【手続補正書】
【提出日】平成27年6月23日(2015.6.23)
【手続補正１】
【補正対象書類名】特許請求の範囲
【補正対象項目名】全文
【補正方法】変更
【補正の内容】
【特許請求の範囲】
【請求項１】
有機発光表示装置であって、
データライン、第１ゲートライン、及び第２ゲートラインを含み、多数の画素が定義され、かつ１つの画素はデータライン、第１ゲートライン、及び第２ゲートラインの交差によって定義された表示パネルと、
前記第１ゲートライン及び前記第２ゲートラインと電気的に連結されるゲート駆動部と、
を含み、
前記画素は、有機発光ダイオードと、前記有機発光ダイオードに電流を供給するために構成され、しきい値電圧を有する駆動トランジスタと、を含み、
前記駆動トランジスタのしきい値電圧補償可能範囲は、上限値及び下限値のうちの少なくとも１つを有し、
前記有機発光表示装置は、
前記駆動トランジスタのしきい値電圧をセンシング可能なように構成され、前記駆動トランジスタのしきい値電圧が前記しきい値電圧補償可能範囲から外れた場合、前記駆動トランジスタの第１ノードに第１電圧を印加し、前記駆動トランジスタの第２ノードに第２電圧を印加し、前記駆動トランジスタのしきい値電圧が前記しきい値電圧補償可能範囲内となるように前記第１電圧及び前記第２電圧を制御し、
前記第１ノードは前記駆動トランジスタのゲートノードであり、前記第２ノードは前記有機発光ダイオードに電気的に連結され
前記有機発光表示装置は、
パワーオフ信号の入力時、前記駆動トランジスタのしきい値電圧が前記しきい値電圧補償可能範囲内になるように、前記第１電圧及び前記第２電圧を制御し、
前記第１電圧及び前記第２電圧を制御した後で、前記駆動トランジスタの全てのノードにグラウンド電圧を印加することを特徴とする、有機発光表示装置。
【請求項２】
前記駆動トランジスタのしきい値電圧が前記上限値より大きい場合、前記第１電圧を前記第２電圧より低くなるように制御することを特徴とする、請求項１に記載の有機発光表示装置。
【請求項３】
前記駆動トランジスタのしきい値電圧が前記下限値より小さい場合、前記第１電圧を前記第２電圧より高くなるように制御することを特徴とする、請求項１に記載の有機発光表示装置。
【請求項４】
基準電圧ラインと、
第１トランジスタを通じて前記データラインに電気的に連結された前記第１ノードと、
第２トランジスタを通じて前記基準電圧ラインに電気的に連結された前記第２ノードと、
をさらに含み、
前記第１トランジスタのゲートノードは前記第１ゲートラインと電気的に連結され、前記ゲート駆動部は前記第１ゲートラインにスキャン信号を印加して前記第１トランジスタを制御し、
前記第２トランジスタのゲートノードは前記第２ゲートラインと電気的に連結され、前記ゲート駆動部は前記第２ゲートラインにセンス信号を印加して前記第２トランジスタを制御することを特徴とする、請求項１に記載の有機発光表示装置。
【請求項５】
駆動電圧を供給する駆動電圧ラインと、
前記第１ノード及び前記第２ノードの間に電気的に連結されたストレージキャパシタと、
前記駆動電圧ラインに電気的に連結された第３ノードをさらに含み、
前記有機発光表示装置は、
前記第１トランジスタに前記スキャン信号を印加し、前記第１トランジスタを通じて前記第１ノードにデータ電圧を印加し、前記第２トランジスタに前記センス信号を印加し、前記第２トランジスタを通じて前記第２ノードに基準電圧を印加し、
次いで、前記第２ノードをフローティングさせ、
次いで、前記第２ノードの電圧を測定し、前記データ電圧から前記第２ノードの測定された電圧を引いて前記駆動トランジスタのしきい値電圧を検出することを特徴とする、請求項４に記載の有機発光表示装置。
【請求項６】
前記第１ノードは、前記駆動トランジスタのゲートノード、及び前記第１トランジスタのソースノードまたはドレーンノードの間に電気的に連結され、
前記第２ノードは、前記有機発光表示装置のアノード電極またはカソード電極、及び前記駆動トランジスタのソースノードまたはドレーンノードの間に電気的に連結され、
前記第３ノードは、前記駆動トランジスタのソースノードまたはドレーンノードと前記駆動電圧ラインとの間に電気的に連結されていることを特徴とする、請求項５に記載の有機発光表示装置。
【請求項７】
前記しきい値電圧補償可能範囲は、前記上限値及び前記下限値を有することを特徴とする、請求項１に記載の有機発光表示装置。
【請求項８】
前記有機発光表示装置は多数の画素を含み、
前記有機発光表示装置は、
前記多数の画素のうち、少なくとも１つの画素でのしきい値電圧が前記しきい値電圧補償可能範囲の上限値より大きいか否かを確認し、
前記しきい値電圧補償可能範囲の上限値より大きいしきい値電圧を有する少なくとも１つの画素の駆動トランジスタにネガティブストレスを印加し、
前記多数の画素のうち、少なくとも１つの画素でのしきい値電圧が前記しきい値電圧補償可能範囲の下限値より小さいか否かを確認し、
前記しきい値電圧補償可能範囲の下限値より小さいしきい値電圧を有する少なくとも１つの画素の駆動トランジスタにポジティブストレスを印加することを特徴とする、請求項１に記載の有機発光表示装置。
【請求項９】
有機発光表示装置の駆動方法であって、
有機発光表示装置の多数の画素のうち、特定画素での駆動トランジスタのしきい値電圧がしきい値電圧補償可能範囲から外れたか否かを確認するステップと、
パワーオフ信号の入力時、前記しきい値電圧が前記しきい値電圧補償可能範囲内になるように回復駆動を実行するステップと、
前記回復駆動を実行した後で、前記駆動トランジスタの全てのノードにグラウンド電圧を印加するステップと、
を含むことを特徴とする、有機発光表示装置の駆動方法。
【請求項１０】
前記特定画素でのしきい値電圧が前記しきい値電圧補償可能範囲の上限値より大きいか否かを確認するステップと、
前記しきい値電圧補償可能範囲の上限値より大きいしきい値電圧を有する前記特定画素の駆動トランジスタにネガティブストレスを印加するステップと、
前記特定画素でのしきい値電圧が前記しきい値電圧補償可能範囲の下限値より小さいか否かを確認するステップと、
前記しきい値電圧補償可能範囲の下限値より小さいしきい値電圧を有する前記特定画素の駆動トランジスタにポジティブストレスを印加するステップと、
を含むことを特徴とする、請求項９に記載の有機発光表示装置の駆動方法。
【請求項１１】
前記ポジティブストレスを印加するステップは、前記駆動トランジスタのしきい値電圧が上昇するように、前記駆動トランジスタのノードに電圧を印加するステップを含み、
前記ネガティブストレスを印加するステップは、前記駆動トランジスタのしきい値電圧が低下するように、前記駆動トランジスタのノードに電圧を印加するステップを含むことを特徴とする、請求項１０に記載の有機発光表示装置の駆動方法。
【請求項１２】
前記有機発光表示装置は、
前記特定画素でのしきい値電圧が前記しきい値電圧補償可能範囲の上限値より大きいか否かを確認するステップ、及び他の特定画素でのしきい値電圧が前記しきい値電圧補償可能範囲の下限値より小さいか否かを確認するステップを同時に実行し、
前記しきい値電圧補償可能範囲の上限値より大きいしきい値電圧を有する前記特定画素の駆動トランジスタにネガティブストレスを印加するステップ、及び前記しきい値電圧補償可能範囲の下限値より小さいしきい値電圧を有する前記他の特定画素の駆動トランジスタにポジティブストレスを印加するステップを同時に実行することを特徴とする、請求項１１に記載の有機発光表示装置の駆動方法。
【請求項１３】
（ａ）前記特定画素でのしきい値電圧が前記しきい値電圧補償可能範囲の上限値より大きいか否かを確認するステップと、
（ｂ）前記しきい値電圧補償可能範囲の上限値より大きいしきい値電圧を有する前記特定画素の駆動トランジスタにネガティブストレスを印加するステップと、
（ｃ）他の特定画素でのしきい値電圧が前記しきい値電圧補償可能範囲の下限値より小さいか否かを確認するステップと、
（ｄ）前記しきい値電圧補償可能範囲の下限値より小さいしきい値電圧を有する前記他の特定画素の駆動トランジスタにポジティブストレスを印加するステップと、
を順次に実行することを特徴とする、請求項９に記載の有機発光表示装置の駆動方法。
【請求項１４】
前記ステップ（ａ）は、前記ステップ（ｂ）の前に実行され、前記ステップ（ｂ）は前記ステップ（ｃ）の前に実行され、前記ステップ（ｃ）は前記ステップ（ｄ）の前に実行されることを特徴とする、請求項１３に記載の有機発光表示装置の駆動方法。